【手続補正書】
【提出日】平成31年4月1日(2019.4.1)
【手続補正１】
【補正対象書類名】特許請求の範囲
【補正対象項目名】全文
【補正方法】変更
【補正の内容】
【特許請求の範囲】
【請求項１】
対向する第１の主面及び第２の主面と、前記第１の主面と前記第２の主面との間に延在するエッジとを備える拡散体であって、前記第１の主面は、略一様な第１のヘーズをもたらす複数の第１の表面構造を備え、前記第２の主面は、前記エッジの隣にある第１の部分と、前記エッジとは反対側にあり前記第１の部分の隣にある第２の部分とを備え、前記第１の部分は、前記エッジの隣にある第１の領域と、前記第１の領域と前記第２の部分との間にある第２の領域とを含み、前記第２の主面は、前記第２の主面の前記第２の部分にわたる略一様な第２のヘーズをもたらし、前記第２の主面の前記第１の部分における第３のヘーズをもたらす、複数の第２の表面構造を備え、前記第３のヘーズは、前記第２の主面の前記第１の部分と前記第２の部分との間の連続境界に沿って前記第２のヘーズと略等しく、前記第１の領域の前記第３のヘーズは、前記第２のヘーズよりも高く、前記第２の領域の前記第３のヘーズは、前記エッジから前記連続境界に向かう方向に沿う距離によって単調に減少しており、前記第２の部分は、前記第２の主面の表面積の少なくとも９０パーセントの表面積を有する、拡散体。
【請求項２】
前記複数の第１の表面構造は、隣り合う構造間にリッジが形成されるように配置された稠密に詰まった構造を備え、前記構造は、直交する２つの面内方向に沿うサイズが制限されている、請求項１に記載の拡散体。
【請求項３】
前記第１の主面は、直交する第１の面内方向と第２の面内方向のそれぞれと関連する、第１のフーリエパワースペクトルと第２のフーリエパワースペクトルにより特徴付け可能である微細構成を有し、
前記第１のフーリエパワースペクトルが、
ゼロ周波数に対応せず、第１の基準線を定義する隣り合う２つの谷内に留まる１つ以上の第１の周波数ピークを含む限り、そのような任意の第１の周波数ピークが、０．８よりも小さい第１のピーク率を有し、前記第１のピーク率が、前記第１の周波数ピークと前記第１の基準線との間にあるエリアを前記第１の周波数ピークの真下のエリアにより割った値に等しく、かつ、
前記第２のフーリエパワースペクトルが、
ゼロ周波数に対応せず、第２の基準線を定義する隣り合う２つの谷内に留まる１つ以上の第２の周波数ピークを含む限り、そのような任意の第２の周波数ピークが、０．８よりも小さい第２のピーク率を有し、前記第２のピーク率が、前記第２の周波数ピークと前記第２の基準線との間にあるエリアを前記第２の周波数ピークの真下のエリアで割った値に等しい、請求項２に記載の拡散体。
【請求項４】
前記第１の主面は、平面図における単位エリア当たり２００ｍｍ／ｍｍ２よりも短い全リッジ長により特徴付けられる、請求項３に記載の拡散体。
【請求項５】
前記稠密に詰まった構造は、基準面における等価円直径（ＥＣＤ）及び厚さ方向に沿う平均高さにより特徴付けられ、各構造のアスぺクト比が、前記構造の前記平均高さを前記構造の前記ＥＣＤで割った値に等しく、前記構造の平均アスぺクト比が０．１５よりも小さい、請求項３に記載の拡散体。
【請求項６】
前記第１のヘーズは、前記第２のヘーズよりも高く、前記第３のヘーズは、前記第１のヘーズよりも高い最高値を有する、請求項１に記載の拡散体。
【請求項７】
入力エッジ及び出力主面を有する光ガイドと、
請求項１に記載の拡散体であって、前記拡散体の前記第２の主面が前記光ガイドの前記出力主面に面し、前記拡散体の前記エッジが前記光ガイドの前記入力エッジの隣になるように、前記光ガイドに近接して配置された拡散体と
を備えるディスプレイ。
【請求項８】
拡散体を作製する方法であって、
第１の構造化面を有する第１のマイクロ複製ツールを用意することであって、
前記第１の構造化面は、表面構造の略一様な分布を有する、ことと、
対向する第１の主面及び第２の主面を有する基材を用意することと、
前記第１のマイクロ複製ツールを用いて前記基材の前記第１の主面を構造化することと、
第２の構造化面を有する第２のマイクロ複製ツールを用意することであって、
前記第２の構造化面は、前記第２の構造化面の第１の部分の領域において変化し、前記第２の構造化面の第２の部分にわたり略一様である、表面構造の分布を有し、前記第２の部分は、前記第２の構造化面の表面積の少なくとも９０パーセントの表面積を有する、ことと、
前記第２のマイクロ複製ツールを用いて前記基材の前記第２の主面を構造化することとを含み、
前記第１のマイクロ複製ツールを用意する前記ステップは、
第１の電気メッキ処理により金属を電気溶着することによって前記金属の第１の層を形成し、第１の平均粗度を有する前記第１の層の第１の主面を生じさせることと、
第２の電気メッキ処理により前記第１の主面に前記金属を電気溶着することによって前記第１の層の前記第１の主面に前記金属の第２の層を形成し、前記第１の平均粗度よりも小さい第２の平均粗度を有する前記第２の層の第２の主面を生じさせることとを含み、
前記第２のマイクロ複製ツールを用意する前記ステップは、切削システムを用いて、予備形成されたツールの表面に構造を切削することを含む、方法。
【請求項９】
光学フィルムであって、
第１の方向に沿って線形に延在する略平行な複数の上部構造を備える構造化上面と、
前記第１の方向とは異なる第２の方向に沿って線形に延在する略平行な複数の下部構造を備える構造化下面と
を備え、
前記上部構造及び前記下部構造のそれぞれが、前記構造の基部のそれぞれ対向する第１の端部及び第２の端部から延在し、前記構造のピークで交わる、対向する第１の湾曲面及び第２の湾曲面を備える、光学フィルムと、
前記光学フィルムと略同一の広がりを有する光学拡散体であって、
前記光学フィルムの前記構造化下面に面する構造化上面であって、
前記構造化上面にわたる略一様な第１の光学ヘーズを有する構造化上面と、
構造化下面であって、前記構造化下面の第１のエッジに沿う第１の部分と、
前記第１の部分から前記構造化下面の反対側にある第２のエッジまで延在する第２の部分とを有し、前記第２の部分は、前記第２の部分にわたる略一様な第２の光学ヘーズを有し、前記第１の部分の少なくとも一部の領域が、前記第１の光学ヘーズ以上の第３の光学ヘーズを有し、前記第２の光学ヘーズは、前記第１の光学ヘーズよりも低い、構造化下面とを備える、光学拡散体とを備える光学スタック。
【請求項１０】
光源と、
前記光源に近接する入力面、及び出力面を有する光ガイドと、
前記光ガイドに配置された光学拡散体であって、
構造化上面であって、
前記構造化上面にわたる略一様な第１の光学ヘーズを有する構造化上面と、
前記光ガイドの前記出力面に面する構造化下面であって、
前記構造化下面の第１のエッジに沿い前記光ガイドの前記入力面に近接する第１の部分と、前記第１の部分から前記構造化下面の反対側にある第２のエッジまで延在する第２の部分とを有し、前記第２の部分は、前記第２の部分にわたる略一様な第２の光学ヘーズを有し、前記第１の部分の少なくとも一部の領域が、前記第１の光学ヘーズ以上の第３の光学ヘーズを有し、前記第２の光学ヘーズは、前記第１の光学ヘーズとは異なる、構造化下面とを備える光学拡散体と、
前記光学拡散体に配置された光学フィルムであって、
前記光学拡散体の前記構造化上面に面する略線形の平行な複数の第１の構造を備える第１の構造化面と、
前記光学拡散体の前記構造化上面とは反対に面する略線形の平行な複数の第２の構造を備える第２の構造化面とを備え、
前記第１の構造及び前記第２の構造はそれぞれ、対向する第１の湾曲面及び第２の湾曲面を備え、前記第１の湾曲面と前記第２の湾曲面は、異なる曲率軸を有する、光学フィルムとを備えるバックライト。